【誤訳訂正書】
【提出日】平成27年3月27日(2015.3.27)
【誤訳訂正１】
【訂正対象書類名】特許請求の範囲
【訂正対象項目名】請求項７
【訂正方法】変更
【訂正の内容】
【請求項７】
第１の電極；第２の電極；並びに、前記第１の電極と第２の電極との間に設けられた１以上の有機層；を含む有機電界発光素子であって、
前記有機層が請求項１〜５のいずれか１項の１種以上の有機電界発光化合物、および化学式２で表される１種以上のドーパントを含む、請求項６に記載の有機電界発光素子：
【化７】
2013528927.tif 000001
式中、Ａｒ１０１およびＡｒ１０２は独立して、１以上の置換基を有するかもしくは有さない（Ｃ１−Ｃ３０）アルキル、１以上の置換基を有するかもしくは有さない（Ｃ６−Ｃ３０）アリール、１以上の置換基を有するかもしくは有さない（Ｃ４−Ｃ３０）ヘテロアリール、１以上の置換基を有するかもしくは有さない（Ｃ６−Ｃ３０）アリールアミノ、（Ｃ１−Ｃ３０）アルキルアミノ、１以上の置換基を有するかもしくは有さない５員〜７員のへテロシクロアルキル、１以上の置換基を有するかもしくは有さない１以上の芳香環と縮合した５員〜７員のヘテロシクロアルキル、１以上の置換基を有するかもしくは有さない（Ｃ３−Ｃ３０）シクロアルキル、または１以上の置換基を有するかもしくは有さない１以上の芳香環と縮合した（Ｃ３−Ｃ３０）シクロアルキルを表すか、またはＡｒ１０１およびＡｒ１０２のそれぞれは縮合環を有するかもしくは有さない（Ｃ３−Ｃ３０）アルケニレンもしくは（Ｃ３−Ｃ３０）アルキレンを介して連結されて、脂環式環または単環式もしくは多環式芳香環を形成していてよく；
ｃが１の場合には、Ａｒ１０３は１以上の置換基を有するかもしくは有さない（Ｃ６−Ｃ３０）アリール、１以上の置換基を有するかもしくは有さない（Ｃ４−Ｃ３０）ヘテロアリール、または下記構造から選択される置換基を表し：
【化８】
2013528927.tif 000002
ｃが２の場合には、Ａｒ１０３は１以上の置換基を有するかもしくは有さない（Ｃ６−Ｃ３０）アリーレン、１以上の置換基を有するかもしくは有さない（Ｃ４−Ｃ３０）ヘテロアリーレン、または下記構造から選択される置換基を表し：
【化９】
2013528927.tif 000003
Ａｒ１０４およびＡｒ１０５は独立して１以上の置換基を有するかもしくは有さない（Ｃ６−Ｃ３０）アリーレンまたは１以上の置換基を有するかもしくは有さない（Ｃ４−Ｃ３０）ヘテロアリーレンを表し；
Ｒ１０１〜Ｒ１０３は独立して、水素、重水素、１以上の置換基を有するかもしくは有さない（Ｃ１−Ｃ３０）アルキル、１以上の置換基を有するかもしくは有さない（Ｃ６−Ｃ３０）アリール、１以上の置換基を有するかもしくは有さない（Ｃ５−Ｃ３０）ヘテロアリール、−ＮＲ１１１Ｒ１１２、−ＢＲ１１３Ｒ１１４、−ＰＲ１１５Ｒ１１６、−Ｐ（＝Ｏ）Ｒ１１７Ｒ１１８、−ＳｉＲ１１９Ｒ１２０Ｒ１２１または−ＹＲ１２２を表し；
Ｒ１１１〜Ｒ１２２は独立して、水素、１以上の置換基を有するかもしくは有さない（Ｃ１−Ｃ３０）アルキル、１以上の置換基を有するかもしくは有さない（Ｃ６−Ｃ３０）アリール、１以上の置換基を有するかもしくは有さない（Ｃ３−Ｃ３０）ヘテロアリール、１以上の置換基を有するかもしくは有さない（Ｃ３−Ｃ３０）シクロアルキル、１以上の置換基を有するかもしくは有さない（Ｃ３−Ｃ３０）ヘテロシクロアルキルを表すか、またはＲ１１１〜Ｒ１２２のそれぞれは隣の置換基に連結されて、１以上の置換基を有するかもしくは有さない（Ｃ３−Ｃ３０）脂肪族環、１以上の置換基を有するかもしくは有さない（Ｃ５−Ｃ３０）ヘテロ脂肪族環、１以上の置換基を有するかもしくは有さない（Ｃ６−Ｃ３０）芳香環、または１以上の置換基を有するかもしくは有さない（Ｃ６−Ｃ３０）ヘテロ芳香環を形成していてよく；
ＹはＳまたはＯを表し；
ｄは１〜４の整数を表し；並びに
ｅは０または１の整数を表す。
【誤訳訂正２】
【訂正対象書類名】特許請求の範囲
【訂正対象項目名】請求項８
【訂正方法】変更
【訂正の内容】
【請求項８】
第１の電極；第２の電極；並びに、前記第１の電極と第２の電極との間に設けられた１以上の有機層；を含む有機電界発光素子であって、
前記有機層が請求項１〜５のいずれか１項の有機電界発光化合物、および化学式３または４で表される１種以上のホスト化合物を含む、請求項６に記載の有機電界発光素子：
［化学式３］
（Ａｒ１１）ｆ−Ｌ１１−（Ａｒ１２）ｇ
［化学式４］
（Ａｒ１３）ｈ−Ｌ１２−（Ａｒ１４）ｉ
式中、Ｌ１１は１以上の置換基を有するかもしくは有さない（Ｃ６−Ｃ６０）アリーレン、または１以上の置換基を有するかもしくは有さない（Ｃ４−Ｃ６０）ヘテロアリーレンを表し；
Ｌ１２は１以上の置換基を有するかもしくは有さないアントラセニレンを表し；
Ａｒ１１〜Ａｒ１４は独立して、水素、重水素、ハロゲン、１以上の置換基を有するかもしくは有さない（Ｃ１−Ｃ３０）アルキル、１以上の置換基を有するかもしくは有さない（Ｃ６−Ｃ３０）アリール、１以上の置換基を有するかもしくは有さない（Ｃ３−Ｃ３０）ヘテロアリール、１以上の置換基を有するかもしくは有さない（Ｃ３−Ｃ３０）シクロアルキル、１以上の置換基を有するかもしくは有さない１以上の（Ｃ３−Ｃ３０）シクロアルキルと縮合した置換もしく非置換（Ｃ６−Ｃ３０）アリール、１以上の置換基を有するかもしくは有さない５員〜７員のヘテロシクロアルキル、１以上の置換基を有するかもしくは有さない１以上の芳香環と縮合した５員〜７員のヘテロシクロアルキル、シアノ、ニトロ、−ＮＲ２０１Ｒ２０２、−ＢＲ２０３Ｒ２０４、−ＰＲ２０５Ｒ２０６、−Ｐ（＝Ｏ）Ｒ２０７Ｒ２０８、Ｒ２０９Ｒ２１０Ｒ２１１Ｓｉ−、Ｒ２１２Ｘ−、１以上の置換基を有するかもしくは有さない（Ｃ６−Ｃ３０）アリール（Ｃ１−Ｃ３０）アルキル、１以上の置換基を有するかもしくは有さない（Ｃ２−Ｃ３０）アルケニル、１以上の置換基を有するかもしくは有さない（Ｃ２−Ｃ３０）アルキニルを表すか、またはそれらのそれぞれは、縮合環を有するかもしくは有さない置換もしくは非置換（Ｃ３−Ｃ３０）アルケニレンもしくは置換もしくは非置換（Ｃ３−Ｃ３０）アルキレンを介して隣の置換基に連結されて、脂環式環または単環式もしくは多環式芳香環を形成していてよく、ここで当該脂環式環または単環式もしくは多環式芳香環の炭素原子は窒素で置換えられていてよく；
Ｒ２０１〜Ｒ２１２は独立して、１以上の置換基を有するかもしくは有さない（Ｃ１−Ｃ３０）アルキル、１以上の置換基を有するかもしくは有さない（Ｃ６−Ｃ３０）アリール、または１以上の置換基を有するかもしくは有さない（Ｃ３−Ｃ３０）ヘテロアリールを表し；
ＸはＳまたはＯを表し；
前記ヘテロシクロアルキルおよびヘテロアリールはＢ、Ｎ、Ｏ、Ｓ、Ｐ（＝Ｏ）、ＳｉおよびＰから選択される１以上のヘテロ原子を含み；
ｆ、ｇ、ｈおよびｉは独立して０〜４の整数を表す。
【誤訳訂正３】
【訂正対象書類名】明細書
【訂正対象項目名】００３３
【訂正方法】変更
【訂正の内容】
【００３３】
式中、Ａｒ１０１およびＡｒ１０２は独立して、１以上の置換基を有するかもしくは有さない（Ｃ１−Ｃ３０）アルキル、１以上の置換基を有するかもしくは有さない（Ｃ６−Ｃ３０）アリール、１以上の置換基を有するかもしくは有さない（Ｃ４−Ｃ３０）ヘテロアリール、１以上の置換基を有するかもしくは有さない（Ｃ６−Ｃ３０）アリールアミノ、（Ｃ１−Ｃ３０）アルキルアミノ、１以上の置換基を有するかもしくは有さない５員〜７員のへテロシクロアルキル、１以上の置換基を有するかもしくは有さない１以上の芳香環と縮合した５員〜７員のヘテロシクロアルキル、１以上の置換基を有するかもしくは有さない（Ｃ３−Ｃ３０）シクロアルキル、または１以上の置換基を有するかもしくは有さない１以上の芳香環と縮合した（Ｃ３−Ｃ３０）シクロアルキルを表すか、またはＡｒ１０１およびＡｒ１０２のそれぞれは縮合環を有するかもしくは有さない（Ｃ３−Ｃ３０）アルケニレンもしくは（Ｃ３−Ｃ３０）アルキレンを介して連結されて、脂環式環または単環式もしくは多環式芳香環を形成していてよく；